(57)【特許請求の範囲】
【請求項１】
キャップ本体と上蓋とがヒンジを介して開閉自在に連結されており、
前記キャップ本体は、開口または開口予定部が形成されている頂板と、
該頂板の周縁部から垂下するスカート壁とから構成され、
該スカート壁とこれに同心的に前記頂板下面から垂下するインナーリングとで容器口部
を嵌合する嵌合部を形成し、
前記頂板上面に前記開口または開口予定部を囲繞する注出筒及びこれより外側に前記上
蓋を閉栓固定する外側壁を形成してなり、
前記上蓋は、天板と該天板の周縁部から垂下する側壁とで構成し、
前記天板内面にこれから垂下し前記注出筒の内面に圧接する環状リングを形成してなる
ヒンジキャップにおいて、
前記スカート壁のヒンジに近接した箇所に、該スカート壁の上端から下端まで縦方向に
破断可能な縦方向弱化部を形成し、
前記頂板の周縁部に前記スカート壁と前記頂板とを分離可能な周方向弱化部を、前記縦
方向弱化部を起点とし前記ヒンジ側に向かい少なくとも前記ヒンジを越える位置まで設け
て、
且つ、前記頂板下面の前記インナーリングよりも外側で前記周方向弱化部よりも内側の位置で、前記容器口部の先端外周が当接する部位に、前記頂板下面から垂下するアウターリングを設け、該アウターリングの内周面が容器口部の鉛直方向に延びる先端外周面に密着してなり、少なくとも前記上蓋の側壁内面で前記周方向弱化部が形成されている部位に対応した位置に複数個の軸方向に延びるリブが設けられ、該リブが前記外側壁の上端部に当接することを特徴とする分別機能付ヒンジキャップ。
【請求項２】
前記周方向弱化部は、前記頂板周縁部の下面から上方に向かって周方向に延びる溝を形
成することにより、前記頂板周縁部の肉厚を薄肉化してなる請求項１記載の分別機能付ヒ
ンジキャップ。
【発明の詳細な説明】
【技術分野】
【０００１】
本発明は、ゴミの分別回収の際、分別が容易な分別機能付ヒンジキャップに関するもの
であって、より詳しくは、従来の分別機能付きキャップにおいては、ともすれば、破断を
容易なものにするために、容器本体とキャップ本体の密封構造が緩めに構成されていた問
題を解消し、使用時においては優れた密封性を保持し、分別廃棄時にはキャップ本体の破
断部位が容易に分離し得るように構成された分別機能付ヒンジキャップに関する。
【背景技術】
【０００２】
ヒンジキャップは、キャップ本体と上蓋とがヒンジにより連結され、その開閉自在性に
加えて易開封性も付与して、利便性が高められていることから、サラダオイルや調味料、
天然果汁などの液状内容物が収容されている容器に多く使用されている。すなわち、この
ヒンジキャップは、キャップ本体を容器口部に打栓して液密にすると共に、容易に外れな
いようにして液密状態を維持し、更に、スコア切裂用タブによりキャップ本体の開口予定
部の易開封性を実現している。
【０００３】
このようなヒンジキャップは、従来、ガラスビンやペットボトルなどの容器の口部に装
着されて使われることが多かった。しかしながら、これら容器とヒンジキャップとの材質
の違いから、ゴミの分別回収に際しては、容器からヒンジキャップを取り外す必要に迫ら
れ、従来はペンチやナイフなどを使用してこれらを分離するなどの手段が採られているた
め作業上煩わしさがあり、このような状況から、容器からヒンジキャップを容易に取り外
すことが出来る技術として、下記のものが知られている。
【０００４】
【特許文献１】特開２００１−１９２０５３号公報  この文献のヒンジキャップは、図５、６に示すように、容器５０の口部５１に装着するキャップ本体５２と上蓋５３とがヒンジ５４により連結されてなり、このキャップ本体５２の外周壁５５のヒンジ５４の付け根に対応する部分より、半径方向が固定筒５６外周縁に至り軸方向が嵌合突条５７上方に至る深溝５８を形成し、この深溝５８とヒンジ５４との交差部の両隅部５９から主竪弱化線６０と、第一副竪弱化線６１とをそれぞれ形成し、深溝５８の下端面と外周壁５５内面との間に薄肉部６２を形成し、主竪弱化線６０を、嵌合突条５７を内側より外周壁５５下端に至るまで鋭角状に切り込み形成し、第一副竪弱化線６１を、嵌合突条５７下端まで内側より鋭角状に切り込み形成し、方向を変え、周方向弱化線６３として嵌合突条５７下端に沿って内側より円周方向に切り進んで形成したものである。
【０００５】
この特許文献１のヒンジキャップによれば、上蓋５３をつかみ外側に引っ張ると、両隅
部５９に応力が集中し、主竪弱化線６０と第一副竪弱化線６１とが上端より引き裂かれ、
さらに外側に引っ張ると、薄肉部６２に応力が集中して薄肉部６２の破断を開始し、ヒン
ジ５４がキャップ本体５２から分離される。上蓋５３をさらに外側に引っ張ると、周方向
弱化線６３が引き裂かれて、斜め上方に引っ張れば容器５０の口部５１からヒンジキャッ
プを離脱させることができるようになっている。
【発明の開示】
【発明が解決しようとする課題】
【０００６】
上記特許文献１のヒンジキャップは、ペンチやナイフなどの道具を使用することなく、
容器５０の口部５１から分離出来て都合が良い。しかしながら、このヒンジキャップは、
容器５０の口部５１から離脱させるために、深溝５８を形成してこの深溝５８の下端面と
外周壁５５内面との間に薄肉部６２を形成し、さらに深溝５８の両脇に主竪弱化線６０と
第一副竪弱化線６１とをそれぞれ形成してある。このため、容器口部５１にキャップ本体
５２を打栓した際、液密性に緩みが出てくる虞があり、容器５０内に収容した液状内容物
の性状によっては内部圧力が高まり、液漏れの可能性を否定できない。
【０００７】
そこで、本発明の目的は、道具を使用することなく容器口部から容易に分離出来るもの
でありながら、液状内容物の性状などに影響されずに充分な液密性を確保することができ
る分別機能付ヒンジキャップを提供することにある。
【課題を解決するための手段】
【０００８】
本発明は、上記目的を達成するために提案されたものであって、下記の構成からなることを特徴とするものである。
すなわち、本発明によれば、キャップ本体と上蓋とがヒンジを介して開閉自在に連結されており、前記キャップ本体は、開口または開口予定部が形成されている頂板と、該頂板の周縁部から垂下するスカート壁とから構成され、該スカート壁とこれに同心的に前記頂板下面から垂下するインナーリングとで容器口部を嵌合する嵌合部を形成し、前記頂板上面に前記開口または開口予定部を囲繞する注出筒及びこれより外側に前記上蓋を閉栓固定する外側壁を形成してなり、前記上蓋は、天板と該天板の周縁部から垂下する側壁とで構成し、前記天板内面にこれから垂下し前記注出筒の内面に圧接する環状リングを形成してなるヒンジキャップにおいて、
前記スカート壁のヒンジに近接した箇所に、該スカート壁の上端から下端まで縦方向に破断可能な縦方向弱化部を形成し、前記頂板の周縁部に前記スカート壁と前記頂板とを分離可能な周方向弱化部を、前記縦方向弱化部を起点とし前記ヒンジ側に向かい少なくとも前記ヒンジを越える位置まで設けて、且つ、前記頂板下面の前記インナーリングよりも外側で前記周方向弱化部よりも内側の位置で、前記容器口部の先端外周が当接する部位に、前記頂板下面から垂下するアウターリングを設け、該アウターリングの内周面が容器口部の鉛直方向に延びる先端外周面に密着してなり、少なくとも前記上蓋の側壁内面で前記周方向弱化部が形成されている部位に対応した位置に複数個の軸方向に延びるリブが設けられ、該リブが前記外側壁の上端部に当接することを特徴とする分別機能付ヒンジキャップが提供される。
【０００９】
また、本発明によれば、前記周方向弱化部は、前記頂板周縁部の下面から上方に向かっ
て周方向に延びる溝を形成することにより、前記頂板周縁部の肉厚を薄肉化してなる分別
機能付ヒンジキャップが提供される。
【発明の効果】
【００１０】
本発明のヒンジキャップは、容器の口部に分別機能付ヒンジキャップのキャップ本体に
おける嵌合部を嵌合すると、容器口部内周と密接するインナーリングと共に容器口部の先
端外周と密接する縦方向弱化部及び周方向弱化部より内側にあるアウターリングによって
液密を実現する。一方、容器の口部から分別機能付ヒンジキャップを離脱させるには、キ
ャップ本体から上蓋を開けた状態にし、上蓋をつかみ縦方向弱化部を中心として下方向に
引っ張ると、応力が縦方向弱化部の上端に集中して下端に向けて縦方向弱化部が裂け、キ
ャップ本体のスカート壁を切り離し、さらに、上蓋をつかんだままで周方向弱化部の起点
である縦方向弱化部から周方向弱化部に沿って引っ張ると、応力がその起点に集中してヒ
ンジを越える位置に向けて周方向弱化部が裂け、その位置までスカート壁と頂板とを切り
離し、スカート壁と容器口部との嵌合力を低下させることにより、分別機能付ヒンジキャ
ップを分離することで実現できる。したがって、上蓋を摘んだままさらに上方に引き上げ
ることにより、道具を使用することなく容器口部から容易に分離出来る。しかも、充分な
液密性を確保することができる効果がある。
【００１１】
また、本発明によれば、キャップ本体の内側に周方向弱化部を設けて、頂板周縁部の肉厚を薄肉化してあるから、周方向弱化部にゴミなどが溜まらない。したがって、上記効果に加えて、見た目も清潔さをも保持できる効果がある。
【発明を実施するための最良の形態】
【００１２】
以下に、図面を参照して本発明を実施するための最良の形態を説明する。
【実施例１】
【００１３】
図１は本発明の実施の形態を示す分別機能付ヒンジキャップを容器の口部に打栓した状
態の縦断面図、図２は図１の分別機能付ヒンジキャップをヒンジ側から見た状態の側面図
、図３は同分別機能付ヒンジキャップを開いた状態の縦断面図、図４は同分別機能付ヒン
ジキャップを開いた状態の平面図である。図面において、分別機能付ヒンジキャップ１は
、キャップ本体２と上蓋３とがヒンジ４を介して開閉自在に連結されており、このキャッ
プ本体２は、開口予定部５が形成されている頂板６と、この頂板６の周縁部から垂下する
スカート壁７とから構成され、このスカート壁７とこれに同心的に頂板６下面から垂下す
るインナーリング８とで容器９の口部１０を嵌合する嵌合部１１を形成し、頂板６上面に
開口予定部５を囲繞する注出筒１２及びこれより外側に上蓋３を閉栓固定する外側壁１３
を形成してなり、上蓋３は、天板１４とこの天板１４の周縁部から垂下する側壁１５とで
構成し、天板１４内面にこれから垂下し注出筒１２の内面に圧接する環状リング１６を形
成してなるものである。
【００１４】
そして、この分別機能付ヒンジキャップ１は、スカート壁７のヒンジ４に近接した箇所
に、このスカート壁７の上端から下端まで縦方向に破断可能な縦方向弱化部１７を形成し
、頂板６の周縁部に、特に図１からわかるように外側壁１３の外周付け根に沿って周方向
に延びている、スカート壁７と頂板６とを分離可能な周方向弱化部１８を、縦方向弱化部
１７を起点としヒンジ４側に向かい少なくともヒンジ４を越える位置まで設けて、且つ、
頂板６下面のインナーリング８よりも外側で周方向弱化部１８よりも内側で、容器９の口
部１０の先端外周が当接する部位に、頂板６下面から垂下するアウターリング１９を位置
せ設けてなるものである。
【００１５】
前記分別機能付ヒンジキャップ１を装着する容器９は、その口部１０にキャップ本体２
を打栓できるものであれば特に限定がなく、どのようなタイプ、材質でも良い。この実施
例１では、特に食用オイルなどの頻繁に小出しするものに利用して、上蓋３による開閉が
比較的多く行われるペットボトルの例を示してある。
【００１６】
前記キャップ本体２は、既述のとおり、上蓋３がヒンジ４を介して連結されているから
、上蓋３はヒンジ４を中心として回転自在となり、開閉自在となっている。そして、前記
注出筒１２より外側の頂板６上には、前述のとおり、外側壁１３が設けられているから、
万が一注出筒１２から液だれがあっても、外側壁１３から直ちに外部にこぼれ出ないよう
になっている。さらに、注出筒１２のヒンジ４と反対側の一部は、図４より判るようにク
チバシ形状部１２ａになっている。このクチバシ形状部１２ａは液状内容物を注出する際
の注ぎ性を向上させるために設けられている。また、上蓋３には閉栓時にクチバシ形状部
１２ａを付勢する注出口補正リブ２０が設けられている。この注出口補正リブ２０は成形
時にクチバシ形状部１２ａがアンダーカットとなっているため、離型時にクチバシ形状部
１２ａの先端が上方に変形してしまう。そのため、ヒンジキャップ１を金型から離型され
た直後に上蓋３を閉栓することで、注出口補正リブ２０により変形したクチバシ形状部１
２ａを正常な形状に戻すことができる。
【００１７】
また、前記注出筒１２の内側にある開封予定部５は、スコア２１に囲まれ、破断除去可
能な部位であり、この開封予定部５に設けたスコア引裂用タブ２２に指を掛けて上方に引
っ張ると、スコア２１を破断して開封予定部５を除去、すなわち開封することが出来る。
なお、図１、図３における２２ａは、スコア引裂用タブ２２に指を掛ける際のスベリ止め
である。一方、開封後の主たるシールは、キャップ本体２の注出筒１２に上蓋３の環状リ
ング１６が嵌合することによりなされる。すなわち、環状リング１６の先端外周面１６ａ
が注出筒１２の内周面下部に当接することにより、開封後のシールがなされる。
【００１８】
そして、前記キャップ本体２は、その頂板６の下面にあるインナーリング８とスカート
壁７とで嵌合部１１が形成され、容器９の口部１０にこの嵌合部１１をあてがい打栓する
ことで、口部１０にキャップ本体２を装着すると共に液密にする。
【００１９】
一方、前記キャップ本体２のスカート壁７におけるヒンジ４に近接した箇所には、既述
のとおり、縦方向弱化部１７が形成され、この縦方向弱化部１７は、スカート壁７の内側
に、Ｖ字状の溝を縦方向にスカート壁７の上端から下端まで形成されてなるものである。
したがって、この縦方向弱化部１７は、前記上蓋３をつかみ縦方向弱化部１７を中心とし
て下方向に引っ張るなどの外力を加えると、応力がＶ字状の溝の上端に集中して下端に向
けて溝が裂け、スカート壁７を縦方向に上端から下端まで破断して分離出来、さらに、外
側から見ることが出来ず、ゴミなどがＶ字状の溝に溜まることもなく、外観も極めて良好
となる。
【００２０】
また、スカート壁７と頂板６との接合部位である頂板６の周縁部には、既述のとおり、
周方向弱化部１８が設けられ、この周方向弱化部１８は、頂板６の周縁部の内側である下
面に、Ｕ字状の溝を周方向に縦方向弱化部１７を起点としヒンジ４側に向かいヒンジ４を
越える位置まで設けてなるものである。したがって、この周方向弱化部１８は、スカート
壁７を縦方向に破断した後、さらに、上蓋３をつかんだままで、周方向弱化部１８の起点
である縦方向弱化部１７から周方向弱化部１８に沿って引っ張るなどの外力を加えると、
応力がＵ字状の溝の起点に集中して、ヒンジ４を越える位置に向けてＵ字状の溝が裂け、
その位置までスカート壁７と頂板６とを切り離すことができ、さらに、外側から見ること
が出来ず、ゴミなどがＵ字状の溝に溜まることもなく、外観も極めて良好となる。
【００２１】
そして、前記キャップ本体２の頂板６の下面には、既述のとおり、アウターリング１９が設けられ、このアウターリング１９は、嵌合部１１内のスカート壁７とインナーリング８との間に位置する頂板６の下面に、周方向弱化部１８よりも内側で、且つ、これらスカート壁７及びインナーリング８と同心的に垂下して設けられている。また、図１及び図４に示されるように、少なくとも前記上蓋３の側壁１５内面で前記周方向弱化部１８が形成されている部位に対応した位置に複数個の軸方向に延びるリブ２４が設けられ、該リブ２４が前記外側壁の上端部に当接している。
したがって、このアウターリング１９は、容器９の口部１０にキャップ本体２の嵌合部１１を嵌合すると、容器口部１０の鉛直方向に延びる先端外周１０ａが、縦方向弱化部１７及び周方向弱化部１８より内側に位置するアウターリング１９の内周面に当接し液密を実現する。すなわち、このアウターリング１９は、強度的に弱くなり液密性に難がある部位に関係ない所で、容器口部１０の先端外周１０ａに当接し液密を実現していることになる。
【００２２】
前記上蓋３は、既述のとおり、天板１４と側壁１５とで構成し、天板１４に側壁１５と同心的に環状リング１６を形成してなり、側壁１５の一端はヒンジ４によってキャップ本体２に開閉自在に連結され、他端には鍔部２３が設けられている。
【００２３】
次に、上記構成になる分別機能付ヒンジキャップ１の利用方法について説明する。
まず、キャップ本体２に上蓋３を嵌めた状態の分別機能付ヒンジキャップ１にし、容器
２内に食用オイルなどの液状内容物を充填し、その後、容器９の口部１０に分別機能付ヒ
ンジキャップ１の嵌合部１１をあてがい打栓することで、容器９を密封する（図１参照）
。その際、縦方向弱化部１７及び周方向弱化部１８による強度的な影響を避けたアウター
リング１９により、容器口部１０の先端外周１０ａに当接して液密性を実現している。そ
の後、必要に応じて分別機能付ヒンジキャップ１付きの容器２を包装して最終製品とする
。
【００２４】
最終製品の消費に際し、包装があればそれを取り除き、少なくとも分別機能付ヒンジキ
ャップ１の部分を裸出し、キャップ本体２から上蓋３を開ける得る状態にして、鍔部２３
を手指にて押し上げれば、上蓋３をキャップ本体２から容易に開けることができる。さら
に、スコア引裂用タブ２２に手指を掛けて引っ張れば、スコア２１を破断し開封予定部５
を除去して開封出来る。そして、容器９内の液状内容物を必要量だけキャップ本体２の注
出筒１２から必要箇所に注ぎ込むことが出来る。その液状内容物を注ぎ終わった後、キャ
ップ本体２に上蓋３を被せると、環状リング１６の先端外周面１６ａが注出筒１２の内周
面下部に当接することにより、開封後のシールがなされる。以後、容器９内の液状内容物
を使い切るまで、上記した同じ動作を繰り返すことになる。
【００２５】
容器９内の液状内容物が全て排出され、キャップ本体２から上蓋３を開けた状態にし、
上蓋３をつかみ縦方向弱化部１７を中心として下方向に引っ張ると、応力が縦方向弱化部
１７の上端に集中して下端に向けて縦方向弱化部１７が裂け、キャップ本体２のスカート
壁７を切り離し、さらに、上蓋３をつかんだままで周方向弱化部１８の起点である縦方向
弱化部１７から周方向弱化部１８に沿って引っ張ると、応力がその起点に集中してヒンジ
４を越える位置に向けて周方向弱化部１８が裂け、その位置までスカート壁７と頂板６と
を切り離すことが出来、容器９の口部１０から分別機能付ヒンジキャップ１を容易に取り
外すことが出来て、ゴミの分別収集に寄与することができる。
【００２６】
以上、本発明の実施例１を説明したが、具体的な構成はこれに限定されず、容器内が加
圧状態であっても適用可能であり、本発明の要旨を逸脱しない範囲での変更は適宜可能で
あることは理解されるべきである。
【産業上の利用可能性】
【００２７】
本発明の分別機能付ヒンジキャップは、道具を使用することなく、容器口部から容易に
分離したい場合に利用可能性があり、特に、液状内容物の性状などに影響されずに充分な
液密性を確保し、且つ容器口部から容易に分離してゴミの分別収集に寄与したいような場
合に、その利用可能性が極めて高くなる。
【図面の簡単な説明】
【００２８】
【図１】実施例１に示した本発明の実施の形態を示す分別機能付ヒンジキャップを容器の口部に打栓した状態の縦断面図である。
【図２】図１の分別機能付ヒンジキャップをヒンジ側から見た状態の側面図である。
【図３】同分別機能付ヒンジキャップを開いた状態の縦断面図である。
【図４】同分別機能付ヒンジキャップを開いた状態の平面図である。
【図５】従来例を示す平面図である。
【図６】従来例を示す縦断面図である。
【符号の説明】
【００２９】
１                        分別機能付ヒンジキャップ
２，５２                  キャップ本体
３，５３                  上蓋
４，５４                  ヒンジ
５                        開口予定部
６                        頂板
７                        スカート壁
８                        インナーリング
９，５０                  容器
１０，５１                口部
１０ａ                    先端外周
１１                      嵌合部
１２                      注出筒
１２ａ                    クチバシ形状部
１３                      外側壁
１４                      天板
１５                      側壁
１６                      環状リング
１６ａ                    先端外周面
１７                      縦方向弱化部
１８                      周方向弱化部
１９                      アウターリング
２０                      注出口補正リブ
２１                      スコア
２２                      スコア引裂用タブ
２２ａ                    すべり止め
２３                      鍔部
２４  リブ
５５                      外周壁
５６                      固定筒
５７                      嵌合突条
５８                      深溝
５９                      隅部
６０                      主竪弱化線
６１                      第一副竪弱化線
６２                      薄肉部
６３                      周方向弱化線
【図２】
0005164581.tif 000002
【図３】
0005164581.tif 000003
【図５】
0005164581.tif 000004
【図６】
0005164581.tif 000005
【図１】
0005164581.tif 000006
【図４】
0005164581.tif 000007